(57)【要約】【課題】  ハンガーロッドを用いた電線引留クランプについてカバーの包被作業を簡易にすることができる電線引留クランプカバーを提供する。【解決手段】  電線５および電線５にクランプされた電線引留クランプ４を収容するクランプ部カバー２と、電線引留クランプ４に接続されたハンガーロッド６を収容するロッド部カバー３とが一体的に連設されており、ロッド部カバー３は、ハンガーロッド６の出入り口となるハンガーロッド導入開口部２０を備え、ハンガーロッド導入開口部２０は、中心から放射状に切り込まれた放射状切り込み部２１と、ハンガーロッド導入開口部２０の周縁部に放射状切り込み部に連なるＵ字状切り込み部２１とが形成され、ハンガーロッド６の径と略同じ幅と長さを有するＵ字状片２４が周方向に形成されている。【選択図】図５
2018019546.tif 000002
【特許請求の範囲】
【請求項１】
ハンガーロッドに連結された電線引留クランプをヒンジによって連結されて開閉自在になっている一対のカバー部材で被覆する電線引留クランプカバーであって、
電線および電線にクランプされた電線引留クランプを収容するクランプ部カバーと、電線引留クランプに接続されたハンガーロッドを収容するロッド部カバーとが一体的に連設されており、
前記ロッド部カバーは、ハンガーロッドの出入り口となるハンガーロッド導入開口部を備え、
前記ハンガーロッド導入開口部は、中心から放射状に切り込まれた放射状切り込み部と、ハンガーロッド導入開口部の周縁部に前記放射状切り込み部に連なる切り込み部とが形成され、ハンガーロッドの径と略同じ幅と長さを有する舌片部が周方向に複数形成されている
ことを特徴とする電線引留クランプカバー。
【請求項２】
前記ハンガーロッド導入開口部は、カバー外側へ向かう円錐状に形成されている
ことを特徴とする請求項１記載の電線引留クランプカバー。
【請求項３】
前記クランプ部カバーのヒンジが設けられている辺と対向する辺に、下方へ突出する仮止め部が形成されている
ことを特徴とする請求項１又は２記載の電線引留クランプカバー。
【発明の詳細な説明】
【技術分野】
【０００１】
本発明は、電柱等に電線を引き留める電線引留クランプのカバーに関する。
【背景技術】
【０００２】
電線引留クランプは、銅電線やアルミ電線等の電線をくさび体により保持して電柱等に引き留めるものである。電線引留クランプは、金属部材で構成されており、露出させたままで放置すると鳥獣害による故障や短絡等が生じうるため、これを絶縁状態で覆う電線引留クランプカバーが必要とされる。電線引留クランプカバーについては、種々の提案がなされている。例えば、特許文献１では、絶縁材からなり内面に引留クランプの収容凹部を設けた一対のカバー片を開閉自在に連結し、一側端を電線導入開口部、他側端を碍子導入開口部、斜め上方部を立上り電線導出開口部とし、立上り電線導出開口部の下方と碍子導入開口部の上方を係止具と連結杆により一体的に連設し、その内側に活線工具の挟着部の入る空間部を設けた電線引留クランプカバーが開示されている。
【０００３】
電線引留クランプそのものについても種々の提案がなされており、電線引留クランプの一つとして、クランプ本体−くさび体−ロッド保持体−ハンガーロッドが一体的に連結されて構成されたものが知られている（例えば、特許文献２参照。）。ハンガーロッドは、くさび体に対して回動可能となるようロッド保持体によって保持されており、電柱の碍子金具等に連結して使用するものである。
【０００４】
このハンガーロッドを用いた電線引留クランプでは、ハンガーロッドおよびロッド保持体が回動するため特許文献１のような碍子導入開口部も一体的に連設されたものではなく、クランプ部を覆うカバーとハンガーロッドおよびロッド保持体とを覆うカバーとを分離した構成の電線引留クランプカバーが用いられている。
【先行技術文献】
【特許文献】
【０００５】
【特許文献１】特開２０００−７８７３２号公報
【特許文献２】特開２０１１−１５４９７号公報
【発明の概要】
【発明が解決しようとする課題】
【０００６】
しかしながら、上記従来のクランプ部のカバーとロッド部のカバーとを分離した構成の電線引留クランプカバーでは、それぞれカバーを被せて係止させなければならないためカバーの包被作業が煩雑になるという問題がある。
【０００７】
そこで、本発明は、上記課題に鑑みなされたものであり、ハンガーロッドを用いた電線引留クランプについてカバーの包被作業を簡易にすることができる電線引留クランプカバーを提供することを目的とする。
【課題を解決するための手段】
【０００８】
上記の課題を解決するため、本発明に係る電線引留クランプカバーは、ハンガーロッドに連結された電線引留クランプをヒンジによって連結されて開閉自在になっている一対のカバー部材で被覆する電線引留クランプカバーであって、電線および電線にクランプされた電線引留クランプを収容するクランプ部カバーと、電線引留クランプに接続されたハンガーロッドを収容するロッド部カバーとが一体的に連設されており、前記ロッド部カバーは、ハンガーロッドの出入り口となるハンガーロッド導入開口部を備え、前記ハンガーロッド導入開口部は、中心から放射状に切り込まれた放射状切り込み部と、ハンガーロッド導入開口部の周縁部に前記放射状切り込み部に連なる切り込み部とが形成され、ハンガーロッドの径と略同じ幅と長さを有する舌片部が周方向に複数形成されていることを特徴とする。そして、前記ハンガーロッド導入開口部は、カバー外側へ向かう円錐状に形成されているのが好ましい。
【０００９】
これによれば、クランプ部カバーとロッド部カバーとが一体的に連設されているので、電線引留クランプの包被作業を簡易にすることができる。また、ロッド部カバーのハンガーロッド導入開口部は、中心から放射状の切り込みを入れ、これに連なる形で周縁部に切り込みを入れて、ハンガーロッドの径と略同じ幅と長さを有する舌片部が周方向に複数形成されているので、回動自在のハンガーロッドを回動角度（通常は垂直向きと水平向きとその中間の３つ）を問わずに収容することができる。
【００１０】
ここで、前記クランプ部カバーのヒンジが設けられている辺と対向する辺に、下方へ突出する仮止め部が形成されているのが好ましい。
【００１１】
これによれば、一対のカバー部材を閉じる際に仮止め部によってカバーが閉じた状態を保持するので、電線引留クランプの包被作業をさらに簡易化することができる。
【発明の効果】
【００１２】
このように、本発明に係る電線引留クランプカバーによれば、ハンガーロッドを用いた電線引留クランプについてカバーの包被作業を簡易化できる電線引留クランプカバーが実現される。
【図面の簡単な説明】
【００１３】
【図１】電線引留クランプカバーの斜視図である。
【図２】電線引留クランプカバーの正面図である。
【図３】ハンガーロッド導入口側のカバー側面図である。
【図４】電線引留クランプカバーを開いた状態を示す図である。
【図５】電線引留クランプカバーを開いて電線引留クランプを載置した状態を示す図である。
【発明を実施するための形態】
【００１４】
以下、本発明に係る電線引留クランプカバーについて図を参照しながら説明する。
【００１５】
図１は電線引留クランプカバーの斜視図であり、図２は正面図である。図３は、ハンガーロッド導入口側のカバー側面図である。図４は、電線引留クランプカバーを開いた状態を示し、図５は電線引留クランプを載置した状態を示している。
【００１６】
本実施の形態の電線引留クランプカバー１は、電線を電柱等に引き留める電線引留クランプを覆うカバーであり、ハンガーロッド支持体７を介してハンガーロッド６に接続された電線引留クランプ４のカバーとして使用するものである。ハンガーロッド６は従来のものと同じであり、ハンガーロッド６はＵ字形状で大部分がポリエチレン等の合成樹脂やゴムで絶縁被覆されている。また、ハンガーロッド支持体７も従来と同じであり、ハンガーロッド６を回動自在に保持するものである。
【００１７】
この電線引留クランプカバー１は、ポリエチレン等の合成樹脂又はゴム等の素材で形成されており、クランプ部カバー２とロッド部カバー３とが一体的に連設されて構成されている。また、電線引留クランプカバー１は、一対のカバー部材で構成されており、一対のカバー部材をカバーヒンジ２ａで連結することにより開閉自在になっている。閉じられたカバー部材を複数個所に設けられた係止部１２，１２ａで留め合わせるによって、電線引留クランプの包被作業が完了する。
【００１８】
クランプ部カバー２は、内部に電線５と電線５をクランプする電線引留クランプ４とを収容できるようになっており、一方の端部に電線５の入り口となる電線導入開口部１０と、他方の端部に電線５の出口となる立上り電線導出開口部１１とを備えている。クランプ部カバー２のカバーヒンジ２ａが設けられている辺と対向する辺には仮止め部３０が下方へ突出して設けられている。この仮止め部３０は、一対のカバー部材を閉じる際に係止部１２，１２ａが留め合わされるまでの間、カバーが閉じた状態を保持するためのものであり、一対のカバー部材にそれぞれ設けられた突出部が係合するようになっている。
【００１９】
ロッド部カバー３は、内部にハンガーロッド６およびハンガーロッド支持体７を収容できるようになっており、クランプ部カバー２と一体的に連設され、クランプ部カバー２側の端部にハンガーロッド支持体７の受け部となるロッド支持体保持部３ａを備え、ハンガーロッド６の出入り口側の端部にハンガーロッド導入開口部２０を備えている。
【００２０】
すなわち、電線引留クランプカバー１は、電線５の出入り口として電線導入開口部１０と立上り電線導出開口部１１、そして、ハンガーロッド６の出入り口としてハンガーロッド導入開口部２０の３つの開口部を備えており、それぞれの開口部の内側には侵入防止柵８が設けられている。なお、侵入防止柵８は鳥獣等が内部へ侵入しないようにするためのものであり、電線５やハンガーロッド６を載置する際に障害とならないよう左右への弾力性を有し、電線５やハンガーロッド６が載置されたときに折れ曲がるようになっている。
【００２１】
ハンガーロッド導入開口部２０は、カバー外側へ向かう円錐状に形成されている。図３に示すように、ハンガーロッド導入開口部２０は、円錐の頂点から放射状に切り込まれた放射状切り込み部２１と、放射状切り込み部２１に連なってＵ字状に切り込まれたＵ字状切り込み部２２とが形成されている。この放射状切り込み部２１とＵ字状切り込み部２２とによって、ハンガーロッド導入開口部２０は先端が尖った複数の槍状片２３と複数のＵ字状片２４とが周方向に配列された構成となる。
【００２２】
ハンガーロッド６を載置して電線引留クランプカバー１を閉じると、ハンガーロッド６のロッド部分は、当接するＵ字状片２４のみを外側へ折り曲げ、その他の槍状片２３およびＵ字状片２４は閉じられたままとなる。なお、電線引留クランプカバー１が一対の分割されたカバー部材であるため、鉛直方向の一対のＵ字状片２４は分割されている。
【００２３】
ここで、放射状切り込み部２１は、連結先の電柱の碍子金具等に合わせてハンガーロッド６が垂直向きと水平向きとその中間の３つの角度に回動されるため、８方向に切り込みを入れて形成されており、放射状切り込み部２１に合わせてＵ字状切り込み部２２も形成されている。放射状切り込み部２１を４方向にしても差し支えはないが、閉塞状態を保つために、形成されるＵ字状片２４の幅は８方向の場合と同様にハンガーロッド６のロッド径と同等程度に抑えるのが好ましい。また、同様に閉塞状態を保つために、形成されるＵ字状片２４の長さもハンガーロッド６のロッド径と同等程度にするのが好ましい。
【００２４】
このように、本実施の形態に係る電線引留クランプカバー１によれば、クランプ部カバー２とロッド部カバー３とを一体的に連設して構成するので、電線引留クランプの包被作業の簡易化を図ることができる。また、ロッド部カバー３のハンガーロッド導入開口部２０を、放射状切り込み部２１およびＵ字状切り込み部２２を形成することで複数の槍状片２３と複数のＵ字状片２４とが周方向に配列された構成としているので、回動自在のハンガーロッド６をその回動角度に依らずに収容することができる。さらに、一対のカバー部材を閉じる際に係止部１２，１２ａが留め合わされるまでの間、カバーが閉じた状態を保持する仮止め部３０が形成されているので、電線引留クランプの包被作業をより簡易にすることができる。
【００２５】
以上、本発明に係る電線引留クランプカバーについて、実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００２６】
例えば、上記実施の形態では、ハンガーロッド導入開口部に放射状切り込み部を形成し、これに連なってＵ字状切り込み部を形成してＵ字状片を構成することとしたが、放射状切り込み部に連なってＶ字状の切り込み部を形成してＶ字状片を構成するとしてもよく、放射状切り込み部に連なってコの字状の切り込み部を形成してコの字状片を構成するとしてもよい。要するに、ハンガーロッドのロッド径と略同じ幅と長さを有する舌片部が周方向に形成されるよう放射状切り込み部に連なる切り込み部が周縁部に複数形成されていればよい。
【００２７】
また、ハンガーロッド導入開口部を円錐状に形成するとしたが、円柱形状の平坦面としてもよい。
【産業上の利用可能性】
【００２８】
本発明は、アルミ電線等の電線を電柱等に引き留める電線引留クランプを覆う電線引留クランプカバーとして有用である。
【符号の説明】
【００２９】
１  電線引留クランプカバー
２  クランプ部カバー
２ａ  カバーヒンジ
３  ロッド部カバー
３ａ  ロッド支持体保持部
４  電線引留クランプ
５  電線
６  ハンガーロッド
７  ハンガーロッド支持体
８  侵入防止柵
１０  電線導入開口部
１１  立上り電線導出開口部
１２，１２ａ  係止部
２０  ハンガーロッド導入開口部
２１  放射状切り込み部
２２  Ｕ字状切り込み部
２３  槍状片
２４  Ｕ字状片
３０  仮止め部
【図１】
2018019546.tif 000003
【図２】
2018019546.tif 000004
【図３】
2018019546.tif 000005
【図４】
2018019546.tif 000006
【図５】
2018019546.tif 000007